(57)【特許請求の範囲】
【請求項１】
クランプ本体（１）と、
該クランプ本体（１）に支持部材（１２）によって、垂直の上下動可能に支持されているシャックル（２）と、
該シャックル（２）に回動自在に連結された揺動梃（３）と、
該揺動梃（３）に回動自在に連結されたベル・クランク（４）と、
該ベル・クランク（４）とピストン運動可能に連結された吊りピン（５）と、
鋼材等に設けられた吊りピースを緩挿するための下方向に開いた開口部（１３）と、
揺動梃（３）とクランプ本体下部とを接続する引張コイルバネ（１０）と、
該揺動梃（３）と回動自在に連結されたラッチリンク（１５）と、
該ラッチリンク（１５）と回動自在に連結されると共に揺動梃（３）と摺動可能なラッチカム（６）と、
該ラッチカム（６）に嵌着されたラッチハンドル（７）と、
揺動梃（３）をロックするロック装置（１１）と、
該ロック装置（１１）に押圧力を与えるキックバネ（１６）と、
該ロック装置（１１）を操作する操作ハンドル（１１’）と、
からなる吊り上げ用クランプ。
【請求項２】
クランプ本体（１）と、
該クランプ本体（１）に支持部材（１２）によって、垂直の上下動可能に支持されているシャックル（２）と、
該シャックル（２）に回動自在に連結された揺動梃（３）と、
該揺動梃（３）に回動自在に連結されたベル・クランク（４）と、
該ベル・クランク（４）とピストン運動可能に連結された吊りピン（５）と、
鋼材等に設けられた吊りピースを緩挿するための正面方向或いは背面方向に開いた開口部（１３）と、
揺動梃（３）とクランプ本体下部とを接続する引張コイルバネ（１０）と、
該揺動梃（３）と回動自在に連結されたラッチリンク（１５）と、
該ラッチリンク（１５）と回動自在に連結されると共に揺動梃（３）と摺動可能なラッチカム（６）と、
該ラッチカム（６）に嵌着されたラッチハンドル（７）と、
揺動梃（３）をロックするロック装置（１１）と、
該ロック装置（１１）に押圧力を与えるキックバネ（１６）と、
該ロック装置（１１）を操作する操作ハンドル（１１’）と、
からなる吊り上げ用クランプ。
【発明の詳細な説明】
【０００１】
【発明の属する技術分野】
本発明は鋼板、鋼材等を吊り上げて移動させるために用いる吊り上げ用クランプに関するものであり、特に鋼板、鋼材等に設けた吊りピ−スの吊り穴に吊りピンを緩挿して吊り上げる吊り上げ用クランプに関するものである。
【０００２】
【従来の技術】
鋼板、鋼材等に設けた吊りピ−スの吊り穴に吊りピンを緩挿して鋼板、鋼材等を吊り上げる吊り上げ用クランプとしては、従来図９に示すようなものがあった。
【０００３】
この従来の吊り上げ用クランプの構造は以下のようになっている。
【０００４】
すなわち、吊りピン（２２）と揺動梃（２３）を該吊りピン（２２）がピストン運動をするようにボルトで取付け、更に該揺動梃（２３）とベル・クランク（２４）を回動自在にピンで取り付ける。そして、ベル・クランク（２４）をロック装置（２０）でロックするものである。
【０００５】
【発明が解決しようとする課題】
従来の吊り上げ用クランプにおける問題点を図９を用いて説明する。
【０００６】
図９はロック装置（２０）をロックし、吊り上げ可能な状態を示している。
【０００７】
ロック状態では揺動梃（２３）とベル・クランク（２４）が図９の様に「へ」字状を形成しており、吊りピン（２２）が抜ける方向、すなわち右方向への力が吊りピン（２２）に加わっても、その力はベル・クランク（２４）を時計回りに回転させる力として働くので吊りピン（２２）は若干右方向に移動するにすぎない。
【０００８】
ところが、作業者がロック装置（２０）がロックされたことを確認しないで、つまり、揺動梃（２３）と、ベル・クランク（２４）が直線状態を越え、逆「へ」字状を呈する状態で、吊りピン（２２）が抜ける方向すなわち右方向への力が吊りピン（２２）に加わると、その力はベル・クランク（２４）を反時計周りに回転させる力として働くので吊りピン（２２）は、移動可能な範囲の最右端まで移動可能となる。
【０００９】
このような状態で、鋼材等の吊りピ−スの吊り穴に吊りピン（２２）を緩挿して、鋼材等を吊り上げるとクランプ本体や鋼材等に何等かの衝撃が加わることで、容易に吊りピン（２２）が吊りピ−スの吊り穴から抜けてしまい、鋼材等が落下することがあり非常に危険であった。
【００１０】
また、鋼材等を吊り上げて移動中にベル・クランク（２４）を操作するレバ−に取り付けられた操作ワイヤ−（２１）やロック装置（２０）に取り付けられた操作ワイヤ−（２１’）が何等かの物にひっかることでロック装置（２０）が外れたり、ベル・クランク（２４）が回転することがある。かような状態で吊りピン（２２）を開放する力すなわち右方向への力が加わると、鋼材等が落下する危険があり非常に危険である。
【００１１】
本発明は鋼材等を吊り上げた状態で吊りピンが吊りピ−スの吊り穴からはずれることがなく、しかも簡易に吊りピンを操作することが可能であり、且つ、確実且つ容易にロック装置等をロック及び解除することが可能な吊り上げ用クランプを提供することを目的とする。
【００１２】
【課題を解決するための手段】
１、  吊りピンが吊りピ−スの吊り穴からはずれないようにするための手段として、本発明では上下動可能なシャックルと揺動梃を回動自在に連結し、また、該揺動梃とベル・クランクを回動自在に連結し、更に該ベル・クランクと吊りピンを回動自在に連結した。
【００１３】
２、  また、吊りピンを操作する手段、及び吊りピンが鋼材等の吊りピ−スからはずれないようにするためのロック装置を確実且つ容易にロック及び解除するための手段として以下のような手段を講じた。
【００１４】
▲１▼  揺動梃とクランプ本体下部を引張コイルバネで接続する。
【００１５】
▲２▼  該揺動梃に回動自在にラッチリンクを連結すると共に該ラッチリンクの他方端をラッチカムに回動自在に連結する。
【００１６】
▲３▼  該ラッチカムを揺動梃に摺動する形でクランプ本体に取り付ける
▲４▼  該ラッチカムにラッチハンドルを嵌着する
▲５▼  揺動梃をロックするロック装置を設ける
▲６▼  該ロック装置に操作ハンドルを嵌着する
かかる解決手段がいかなる作用を有するか、以下図面を用いて説明する。
【００１７】
３、  図１、図５はロック装置（１１）をロックし、吊り上げ可能な状態である。
【００１８】
シャックル（２）の穴部とクレ−ンフックに取り付けたクランプ取り付け用チェ−ンスリングあるいはワイヤ−を接続し、次いで鋼材等の吊りピ−スの吊り穴に吊りピン（５）を緩挿する。
【００１９】
かような状態で、クレ−ンで鋼材等を吊り上げると支持部材（１２）によって垂直の上下動可能に支持されているシャックル（２）には、鋼材等の重量分だけの力が加わる。そしてこの力は該シャックル（２）と回動自在に連結された揺動梃（３）を上方に引き上げる力として働き、更にこの力は該揺動梃（３）とピン（９）で回動自在に連結されたベル・クランク（４）を時計周りに回転させる力として働く。更にこの力は該ベル・クランク（４）とピン（８）でピストン運動可能に連結された吊りピン（５）を左方向に押しこむ力として働く。
【００２０】
このように、本発明では鋼材等を吊り上げた状態では、その重量分だけの力が吊りピン（５）を左側に押しこむ力として働く。
【００２１】
従って、鋼材等を吊り上げた状態でクランプ本体や鋼材等に何らかの強い衝撃が加わって安全ロック装置（１１）のロックがはずれたり、あるいは安全ロック装置（１１）に取り付けられた操作ワイヤ−が何等かの物にひっかることで安全ロック装置（１１）がはずれたりしても、吊りピン（５）には、鋼材等の重量分だけの力が吊りピン（５）を左側に押しこむ力として働くので、吊りピ−スの吊り穴から吊りピン（５）がはずれることがないのである。
【００２２】
また、ラッチハンドル（７）に取りつけられた操作ワイヤ−が何らかの物にひっかかって該ラッチハンドル（７）を時計回りに回転させる力すなわち揺動梃（３）を下方に引き下げ、吊りピン（５）が吊りピ−スの吊り穴から抜ける方向の力が加わっても、鋼材等の重量分だけの力が揺動梃（３）を上方に引きあげる力として働いているのでラッチハンドル（７）に嵌着されたラッチカム（６）が揺動梃（３）を下方に押し下げることができず、よってラッチハンドル（７）が時計回りに回転することができず、結局吊りピン（５）がはずれることがないのである。
【００２３】
４、ａ，図２は、ロック装置（１１）のロックを解除した状態を示している。
【００２４】
上下動可能なシャックル（２）と、該シャックル（２）と回動自在に連結された揺動梃（３）は、引張コイルバネ（１０）によって下方に引き下ろされている。
【００２５】
そして、前後に突出部（２９）を持つラッチカム（６）の該突出部（２９）に嵌着されたラッチハンドル（７）を時計回りに回転させることで、ラッチカム（６）が揺動梃（３）を左下方に押し下げる。
【００２６】
これによりベル・クランク（４）が反時計回りに回転し、該ベル・クランク（４）と回動自在に連結された吊りピン（５）が右方に引かれる。
【００２７】
以上の過程でクランプ本体（１）の開口部（１３）に鋼材等の吊りピ−スを差し込める状態になるのである。
【００２８】
ｂ，  図１は、ロック装置（１１）をロックし、吊り上げ可能な状態である。以下図２の状態から図１の状態に至る過程を述べる。
【００２９】
クランプ本体（１）の開口部（１３）に鋼材等の吊りピ−スを差し込み、吊りピ−スの吊り穴と吊りピン（５）の位置を合わせる。
【００３０】
次にラッチハンドル（７）を反時計回りに回転させ、該ラッチハンドル（７）と嵌着されたラッチカム（６）を回転させる。これにより、該ラッチカム（６）と揺動梃（３）を接続するラッチリンク（１５）が上方に引き上げられ、よって該揺動梃（３）が上方に引き上げられる。
【００３１】
これにより、該揺動梃（３）とピン（９）で、回動自在に連結されたベル・クランク（４）が時計回りに回転し吊りピン（５）を左方向に押し、吊りピン（５）が鋼材等の吊りピ−スの吊り穴に緩挿されるのである。
【００３２】
この場合、もし、吊りピ−スの吊り穴に吊りピン（５）が合わず、開口部左側の所定の位置まで該吊りピン（５）が押し込まれなかった場合ベル・クランク（４）が時計回りに回転できないためラッチリンク（１５）により揺動梃（３）が上方に引き上げられずラッチハンドル（７）を所定の位置まで反時計回りに回転させることができない。このため、確実な吊りピ−スへの取付け状態の確認ができる構造となっている。
【００３３】
また、ロック装置（１１）は揺動梃（３）が上方に引き上げられることによりキックバネ（１６）の力で自動的に反時計回りに回転し、ロック位置にセットされる。
【００３４】
ｃ，  鋼材等を着床し、クランプが無負荷になると、引張コイルバネ（１０）により揺動梃（３）が下方に引かれるが、ロック装置（１１）が該揺動梃（３）を支持しているため該揺動梃（３）が下方に引き下ろされることはない。
【００３５】
従って、該揺動梃（３）と回動自在に連結されたベル・クランク（４）が反時計回りに回転することがなく、よって吊りピン（５）が吊りピ−スの吊り穴からはずれることはない。
【００３６】
ｄ，  鋼材等から本件クランプを取りはずす工程、すなわち鋼材等の吊りピ−スの吊り穴から吊りピン（５）を抜く工程は以下の通りである。
【００３７】
鋼材等を着床させ、鋼材等の固定を行いクランプを無負荷にする。
【００３８】
この状態からロック装置（１１）に取りつけられた操作ハンドル（１１’）を下方向に引き、該ロック装置（１１）を時計回りに回転させ、該ロック装置（１１）が揺動梃（３）を支持している状態を解放する。
【００３９】
以上の工程と共に、ラッチハンドル（７）を下方向に引くことにより、該ラッチハンドル（７）を時計回りに回転させると引張コイルバネ（１０）によって該揺動梃（３）を下方に引き下ろす力が働いていることから容易に該ラッチハンドル（７）は時計回りに回転する。
【００４０】
これにより該ラッチハンドル（７）と嵌着されているラッチカム（６）と接続されているラッチリンク（１５）も揺動梃（３）を下方に降ろす働きをなす。
【００４１】
以上のように揺動梃（３）を下方に降ろす様々な力が働く結果、その力が該揺動梃（３）と回動自在に取り付けられたベル・クランク（４）を反時計回りに回転させ更に該ベル・クランク（４）の一端に取り付けられた吊りピン（５）が抜けることになるわけである。
【００４２】
以上のように容易に本件クランプを取りはずすことが可能となるのである。
【００４３】
尚、図７は請求項２記載のクランプの実施状態を示す正面図であり、図８は請求項２記載のクランプの実施状態示す側面図である。請求項２記載のクランプはＨ形鋼のフランジ部（２４）に吊りピン（５）を緩挿して吊り上げるものである。開口部（１３）にフランジ部（２４）を緩挿することを可能とするために、開口部（１３）が正面方向或いは背面方向に開いた状態で設けてあるのである。
【００４４】
【発明の実施の形態】
以下、好ましい発明の実施の形態につき述べる。
【００４５】
クランプ本体（１）は、２枚の側板（２５）・（２５’）から成る。この２枚の側板（２５）・（２５’）は、請求項１記載のクランプの場合には下方に向かって逆Ｕ字状の切れ込みを有し、この部分が開口部（１３）となる。請求項２記載のクランプの場合には、請求項１記載の場合のような切れ込みを有さず、開口部（１３）は側板（２５）・（２５’）の両側部にわたり開口部材（２６）を接合して設けられている。
【００４６】
両側板（２５）・（２５’）にわたり支持部材（１２）が２ケ所設けられており、この支持部材（１２）によりシャックル（２）が垂直の上下動可能に支持されている。
【００４７】
揺動梃（３）は同一形状のものが２枚シャックル（２）を挟む形でピン（２７）によりシャックル（２）と回動自在に連結されている。
【００４８】
この２枚の揺動梃（３）の下端はベル・クランク（４）を挟む形でピン（９）により該ベル・クランク（４）と回動自在に連結されている。
【００４９】
揺動梃（３）の他方端で２枚の揺動梃（３）を結ぶピン（２８）には、引張コイルバネ（１０）が取り付けられており、この引張コイルバネ（１０）の他方端はクランプ本体（１）の下部で側板（２５）・（２５’）を連結するピン（２８）に取り付けられている。
【００５０】
ラッチカム（６）は前後に突出部（２９）を有し、側板（２５）・（２５’）に回動自在に取り付けられている。このラッチカム（６）と揺動梃（３）はラッチリンク（１５）で連結されている（図１参照）。ラッチリンク（１５）は揺動梃（３）を引き上げるためのものであるが、この働きをより確実にするためにラッチカム（６）と揺動梃（３）を引張りコイルバネ（１４）で連結しても良い（図２参照）。また、ラッチカム（６）の突出部（２９）にはラッチハンドル（７）が嵌合されている。このラッチハンドル（７）は板状の２つの部材がピンを介して回動自在に設けられている。
【００５１】
ロック装置（１１）は同一形状の２枚の部材をピン（３０）で連結して設けてある。このロック装置（１１）は２枚の部材でベル・クランク（４）を挟む形で、且つ、２枚の部材が揺動梃（３）を構成する２枚の部材に摺動する形で設けられている。該ロック装置（１１）には操作ハンドル（１１’）が嵌合されている。
【００５２】
ラッチハンドル（７）の端部に操作ワイヤ−（１７）を、操作ハンドル（１１’）の端部に操作ワイヤ−（１７’）を連結し、且つ、クランプ本体下部にワイヤ−ガイド（１８）を設け、操作ワイヤ−（１７）・（１７’）をワイヤ−ガイド（１８）を通すようにすれば、操作ワイヤ−（１７）・（１７’）はワイヤ−ガイド（１８）によって下方向に向けられているので操作ワイヤ−（１７）・（１７’）をいかなる方向から引いても操作ワイヤ−（１７）・（１７’）はラッチハンドル（７）、操作ハンドル（１１’）を下方向に引くので簡単にクランプ本体（１）を取りはずすことが可能となる。
【００５３】
操作ワイヤ−（１７）・（１７’）、ワイヤ−ガイド（１８）を設けなくとも図１０に示すようにパワ−ユニット（３１）を用いて操作ハンドル、ラッチハンドルをプッシュプルケ−ブル（３２）、押し金具（３３）を通じて下方向に押すことにより吊りピンを抜く操作をすることも可能である。パワ−ユニット（３１）、プッシュプルケ−ブル（３２）、押し金具（３３）を１つにし、両ハンドルを押すことも可能である。
【００５４】
【発明の効果】
本発明は以上のように構成されているので、鋼材等を吊り上げた状態で吊りピンが吊りピ−スの吊り穴からはずれることがなく、しかも簡易に吊りピンを操作することが可能であり、且つ、確実且つ容易にロック装置等をロック及び解除することが可能である。
【図面の簡単な説明】
【図１】  吊りピンを差し込んだ状態を示す請求項１記載のクランプの正面図。
【図２】  吊りピンを抜いた状態を示す請求項１記載のクランプの正面図。
【図３】  請求項１記載のクランプとその部品の組立工程を示す斜視図。
【図４】  請求項１記載のクランプの吊りピンを鋼材の吊りピ−スの吊り穴に差し込む工程を示す斜視図。
【図５】  吊りピンを差し込んだ状態を示す請求項２記載のクランプの正面図。
【図６】  請求項２記載のクランプの右側面図。
【図７】  請求項２記載のクランプの実施状態を示す正面図。
【図８】  請求項２記載のクランプの実施状態を示す側面図。
【図９】  従来のクランプを示す正面図。
【図１０】  請求項１記載のクランプの他の実施例を示す正面図。
【符号の説明】
１      クランプ本体            ２      シャックル
３      揺動梃                  ４      ベル・クランク
５      吊りピン                ６      ラッチカム
７      ラッチハンドル          ８、９、２７、２８、３０      ピン
１０、１４    引張コイルバネ    １１    ロック装置
１１’  操作ハンドル            １２    支持部材
１３    開口部                  １５    ラッチリンク
１６    キックバネ              １７、１７’    操作ワイヤ−
１８    ワイヤ−ガイド          ２５、２５’  側板
２６    開口部材                ２９    突出部
３１、  パワ−ユニット          ３２、  プッシュプルケ−ブル
３３、  押し金具                ３４、  プッシュプルケ−ブル受け
【図１】
0003657055.tif 000002
【図２】
0003657055.tif 000003
【図３】
0003657055.tif 000004
【図４】
0003657055.tif 000005
【図５】
0003657055.tif 000006
【図６】
0003657055.tif 000007
【図７】
0003657055.tif 000008
【図８】
0003657055.tif 000009
【図９】
0003657055.tif 000010
【図１０】
0003657055.tif 000011